(57)【要約】      （修正有）【課題】取付作業の簡便及び取付後の安定性の両立を図ることができる開離嵌挿具及び隠しスライドファスナーを提供する。【解決手段】開離嵌挿具１０は、蝶棒部１１０と、蝶棒部に連結した内側端部１２１と内側端部の反対側の外側端部１２２の間に屈曲部１２５を含むプレート部１２０を備える金属製の第１部材１００と、箱棒部２１０と、蝶棒部を受け入れ保持可能である箱部２２０と、箱棒部に連結した内側端部２３１と内側端部の反対側の外側端部２３２の間に屈曲部２３５を含むプレート部２３０を備える金属製の第２部材２００を備える。蝶棒部１１０及び箱棒部２１０は、各々、ファスナーテープに対して取付け可能である。第１部材及び第２部材の各プレート部の外側端部にはファスナーテープを挟み込むための挟み込み部１２７０、２３７０が設けられる。【選択図】図６
0003188025.tif 000002
【実用新案登録請求の範囲】
【請求項１】
蝶棒部（１１０）と、当該蝶棒部（１１０）に連結した内側端部（１２１）と当該内側端部（１２１）の反対側の外側端部（１２２）の間に屈曲部（１２５）を含むプレート部（１２０）を備える金属製の第１部材（１００）と、
箱棒部（２１０）と、前記蝶棒部（１１０）を受け入れ保持可能である箱部（２２０）と、当該箱棒部（２１０）に連結した内側端部（２３１）と当該内側端部（２３１）の反対側の外側端部（２３２）の間に屈曲部（２３５）を含むプレート部（２３０）を備える金属製の第２部材（２００）と、を備え、
前記蝶棒部（１１０）及び前記箱棒部（２１０）は、各々、ファスナーテープ（６０）に対して取付け可能であり、
前記第１部材（１００）及び前記第２部材（２００）の各プレート部（１２０、２３０）の前記外側端部（１２２、２３２）には前記ファスナーテープ（６０）を挟み込むための挟み込み部（１２７０、２３７０）が設けられる、開離嵌挿具。
【請求項２】
前記蝶棒部（１１０）及び前記箱棒部（２１０）は、各々、前記ファスナーテープ（６０）の挿通用のスリット（１１１）が周壁部（１１５、２１５）に設けられて長手方向に亘り開口した中空の筒部を含み、前記周壁部（１１５、２１５）の少なくとも部分的な塑性変形により前記ファスナーテープ（６０）に対して取付可能である、請求項１に記載の開離嵌挿具。
【請求項３】
前記蝶棒部（１１０）及び前記箱棒部（２１０）は、各々、前記スリット（１１１、２１１）に連通した少なくとも一つ溝（１１３、２１３）を有する、請求項２に記載の開離嵌挿具。
【請求項４】
前記蝶棒部（１１０）及び前記箱棒部（２１０）の各周壁部（１１５、２１５）が、３つ以上の側壁部を含み、前記少なくとも一つ溝（１１３、２１３）が、少なくとも隣り合う前記側壁部の境界を超えるまで前記スリット（１１１、２１１）から延在する、請求項３に記載の開離嵌挿具。
【請求項５】
前記蝶棒部（１１０）及び前記箱棒部（２１０）は、各々、前記スリット（１１１、２１１）に連通した少なくとも２つの溝（１１３、２１３）を有する請求項２乃至４のいずれか一項に記載の開離嵌挿具（１０）であって、
前記挟み込み部（１２７０、２３７０）が、前記蝶棒部（１１０）又は前記箱棒部（２１０）に並列に設けられ、前記挟み込み部（１２７０、２３７０）の長さが、前記少なくとも２つの溝（１１３、２１３）の配置間隔よりも大きい、開離嵌挿具。
【請求項６】
前記挟み込み部（１２７０、２３７０）は、前記ファスナーテープ（６０）を挟み込むように対向する一組の対向部分を含み、当該対向部分には同軸上に配置された少なくとも一組の孔が設けられる、請求項１乃至５のいずれか一項に記載の開離嵌挿具。
【請求項７】
前記第２部材（２００）は、前記箱部（２２０）に連結した底部（２４０）を備え、当該底部（２４０）に対して前記第１部材（１００）の前記屈曲部（１２５）が載置可能であり、前記箱部（２２０）には前記底部（２４０）に到達する切欠き（２５０）が設けられる、請求項１乃至６のいずれか一項に記載の開離嵌挿具。
【請求項８】
前記箱部（２２０）内での前記蝶棒部（１１０）の回転を抑止するための回転抑止壁（２６０）が前記底部（２４０）上に設けられる、請求項７に記載の開離嵌挿具。
【請求項９】
ファスナーテープ（６０）の長さ方向に沿う前記ファスナーテープ（６０）の曲げ側縁部（６５）にファスナーエレメント（７０）が設けられた一組のファスナーストリンガー（８０）と、
各ファスナーストリンガー（８０）の各ファスナーエレメント（７０）を噛合又は非噛合にするためのファスナースライダー（９０）と、
請求項１乃至８のいずれか一項に記載の開離嵌挿具（１０）と、
を備える、隠しスライドファスナー。
【請求項１０】
前記開離嵌挿具（１０）が設けられた側とは反対側の前記ファスナーストリンガー（８０）の端部には止具（３００）が設けられ、当該止具（３００）は、前記ファスナーテープ（６０）の挿通用のスリット（３１１）が周壁部（３１５）に設けられて長手方向に亘り開口した中空の筒部を含み、更に、前記スリット（３１１）に連通した少なくとも一つ溝（３１３）を有する、請求項９に記載の隠しスライドファスナー。
【請求項１１】
前記ファスナーテープ（６０）が導電性材料の付着により導電性を有し、
前記ファスナーエレメント（７０）が頭部、首部、及び基部を有する樹脂成形部である、請求項９又は１０に記載の隠しスライドファスナー。
【考案の詳細な説明】
【技術分野】
【０００１】
本開示は、開離嵌挿具及び隠しスライドファスナーに関する。
【背景技術】
【０００２】
特許文献１には、隠しスライドファスナーに対して金属製の開離嵌挿具を設けることが開示されている。同文献に示すように、ピンソケット（７２）を有する箱部（６８）と、そのピンソケット（７２）に挿入されるピン（９０）を有するピン部材（７０）が開示されている。ピン部材（７０）は、底部折返し（８６）及び側部折返し（８８）を有し、これらが折り返されてテープ（１４’）の裏面に接触可能である。
【０００３】
特許文献２には、隠しスライドファスナーに対して開離嵌挿具を設けることが開示されている。この開離嵌挿具は、ファスナースライダーのエレメント通路内に挿入可能な箱棒や蝶棒を有しない斬新な構成を有する。
【０００４】
特許文献３には、樹脂材料の射出成形によりファスナーテープに開離嵌装具を設けることが開示されている。箱棒（２）及び蝶棒（３）の各々に補強部（６）が一体的に成形されている。
【先行技術文献】
【特許文献】
【０００５】
【特許文献１】米国特許第３３２４５２２号明細書
【特許文献２】中華民国特許出願公告番号第４６３５８５号公報
【特許文献３】特開２００８−２２０８４２号公報
【考案の概要】
【考案が解決しようとする課題】
【０００６】
スライドファスナーに対して金属製の開離嵌装具を取付ける場合、開離嵌挿具の構成部品のサイズが小さければ各構成部品の取付作業に手間がかかる。他方、開離嵌挿具の構成部品のサイズが大きければ取付後の安定性が低下してしまう。取付作業の簡便及び取付後の安定性の両立を図ることが望まれる。
【課題を解決するための手段】
【０００７】
本考案の一態様に係る開離嵌挿具は、蝶棒部（１１０）と、当該蝶棒部（１１０）に連結した内側端部（１２１）と当該内側端部（１２１）の反対側の外側端部（１２２）の間に屈曲部（１２５）を含むプレート部（１２０）を備える金属製の第１部材（１００）と、箱棒部（２１０）と、前記蝶棒部（１１０）を受け入れ保持可能である箱部（２２０）と、当該箱棒部（２１０）に連結した内側端部（２３１）と当該内側端部（２３１）の反対側の外側端部（２３２）の間に屈曲部（２３５）を含むプレート部（２３０）を備える金属製の第２部材（２００）と、を備え、前記蝶棒部（１１０）及び前記箱棒部（２１０）は、各々、ファスナーテープ（６０）に対して取付け可能であり、前記第１部材（１００）及び前記第２部材（２００）の各プレート部（１２０、２３０）の前記外側端部（１２２、２３２）には前記ファスナーテープ（６０）を挟み込むための挟み込み部（１２７０、２３７０）が設けられる。
【０００８】
本開離嵌挿具は、例えば、ファスナーテープ（６０）の長さ方向に沿う前記ファスナーテープ（６０）の曲げ側縁部（６５）にファスナーエレメント（７０）が設けられた一組のファスナーストリンガー（８０）、及び各ファスナーストリンガー（８０）の各ファスナーエレメント（７０）を噛合又は非噛合にするためのファスナースライダー（９０）を備える隠しスライドファスナー（５０）用の金属製の開離嵌挿具（１０）である。
【０００９】
前記蝶棒部（１１０）及び前記箱棒部（２１０）は、各々、前記ファスナーテープ（６０）の挿通用のスリット（１１１）が周壁部（１１５、２１５）に設けられて長手方向に亘り開口した中空の筒部を含み、前記周壁部（１１５、２１５）の少なくとも部分的な塑性変形により前記ファスナーテープ（６０）に対して取付可能である、と良い。
【００１０】
前記蝶棒部（１１０）及び前記箱棒部（２１０）は、各々、前記スリット（１１１、２１１）に連通した少なくとも一つ溝（１１３、２１３）を有する、と良い。
【００１１】
前記蝶棒部（１１０）及び前記箱棒部（２１０）の各周壁部（１１５、２１５）が、３つ以上の側壁部を含み、前記少なくとも一つ溝（１１３、２１３）が、少なくとも隣り合う前記側壁部の境界を超えるまで前記スリット（１１１、２１１）から延在する、と良い。
【００１２】
前記蝶棒部（１１０）及び前記箱棒部（２１０）は、各々、前記スリット（１１１、２１１）に連通した少なくとも２つの溝（１１３、２１３）を有する場合において、前記挟み込み部（１２７０、２３７０）が、前記蝶棒部（１１０）又は前記箱棒部（２１０）に並列に設けられ、前記挟み込み部（１２７０、２３７０）の長さが、前記少なくとも２つの溝（１１３、２１３）の配置間隔よりも大きい、と良い。
【００１３】
前記挟み込み部（１２７０、２３７０）は、前記ファスナーテープ（６０）を挟み込むように対向する一組の対向部分を含み、当該対向部分には同軸上に配置された少なくとも一組の孔が設けられる、と良い。
【００１４】
前記第２部材（２００）は、前記箱部（２２０）に連結した底部（２４０）を備え、当該底部（２４０）に対して前記第１部材（１００）の前記屈曲部（１２５）が載置可能であり、前記箱部（２２０）には前記底部（２４０）に到達する切欠き（２５０）が設けられる、と良い。
【００１５】
前記箱部（２２０）内での前記蝶棒部（１１０）の回転を抑止するための回転抑止壁（２６０）が前記底部（２４０）上に設けられる、と良い。
【００１６】
本考案の別の態様に係る隠しスライドファスナーは、ファスナーテープ（６０）の長さ方向に沿う前記ファスナーテープ（６０）の曲げ側縁部（６５）にファスナーエレメント（７０）が設けられた一組のファスナーストリンガー（８０）と、各ファスナーストリンガー（８０）の各ファスナーエレメント（７０）を噛合又は非噛合にするためのファスナースライダー（９０）と、上記いずれかの開離嵌挿具（１０）と、を備える。
【００１７】
前記開離嵌挿具（１０）が設けられた側とは反対側の前記ファスナーストリンガー（８０）の端部には止具（３００）が設けられ、当該止具（３００）は、前記ファスナーテープ（６０）の挿通用のスリット（３１１）が周壁部（３１５）に設けられて長手方向に亘り開口した中空の筒部を含み、更に、前記スリット（３１１）に連通した少なくとも一つ溝（３１３）を有する、と良い。
【００１８】
前記ファスナーテープ（６０）が導電性材料の付着により導電性を有し、前記ファスナーエレメント（７０）が頭部、首部、及び基部を有する樹脂成形部である、と良い。
【考案の効果】
【００１９】
本考案によれば、取付作業の簡便及び取付後の安定性の両立を図ることができる。
【図面の簡単な説明】
【００２０】
【図１】本考案の第１実施形態に係る隠しスライドファスナーの表面図であり、ファスナースライダーと前止部の間を除いて一組のファスナーストリンガーの各ファスナーエレメントが噛合状態にある。なお、図１においては、ファスナーテープにより視認することができないファスナースライダーの部分を点線にて模式的に示す。
【図２】本考案の第１実施形態に係る隠しスライドファスナーの裏面図であり、ファスナースライダーと前止部の間を除いて一組のファスナーストリンガーの各ファスナーエレメントが噛合状態にある。
【図３】本考案の第１実施形態に係る隠しスライドファスナーの前止部の右側前止部の加締め変形前の斜視図であり、ファスナーテープ挿通用スリットが周壁部に設けられて長手方向に亘り開口した中空の金属製の筒部が図示され、ここで、スリットに連通した２つの溝が筒部の周方向に長く設けられ、２つの溝の間に加締め部が設けられる。
【図４】本考案の第１実施形態に係る隠しスライドファスナーの前止部の右側前止部がファスナーテープの曲げ側縁に取付けられた状態を示す模式図であり、ここで、ファスナーテープが断面視して示され、ファスナーテープの曲げ側縁にある芯紐が右側前止部の加締め部により加締められている。
【図５】本考案の第１実施形態に係る隠しスライドファスナーの前止部の右側前止部がファスナーテープの曲げ側縁に取付けられた状態を示す図１のＶ−Ｖに沿う断面図であり、ここで、ファスナーテープの曲げ側縁にある芯紐が右側前止部の加締め部により加締められている。
【図６】本考案の第１実施形態に係る隠しスライドファスナーの開離嵌挿具の斜視図であり、左右のファスナーテープに取付けられる前の状態であり、かつ左側部材の蝶棒部が右側部材の箱部に挿入されていない状態を示す。
【図７】本考案の第１実施形態に係る隠しスライドファスナーの開離嵌挿具の左側部材の側面図であり、中空の金属製の蝶棒部にプレート部が連結している状態を示す。
【図８】本考案の第１実施形態に係る隠しスライドファスナーの開離嵌挿具の右側部材の側面図であり、中空の金属製の箱棒部にプレート部が連結している状態を示し、ここで、箱部とプレート部の間の隙間がプレート部の挟み込み部の厚みにより視認不能に図示されている。
【図９】本考案の第１実施形態に係る隠しスライドファスナーの開離嵌挿具の左側部材を左側ファスナーテープの後端部に取付けた状態を示す断面模式図であり、ここで蝶棒部の加締め部及び挟み込み部が加締め変形される前の状態にある。
【図１０】図９の一点破線で示す範囲の拡大図であり、但し、図９とは異なり、蝶棒部の加締め部が加締め変形された後の状態を示す。
【図１１】図９の二点破線で示す範囲の拡大図であり、但し、図９とは異なり、プレート部の外側端部の挟み込み部が加締め変形された後の状態を示す。
【図１２】本考案の第１実施形態に係る隠しスライドファスナーの開離嵌挿具の左側部材がファスナーテープの曲げ端部に加締められた状態を示す模式図であり、ここでプレート部の挟み込み部の加締めによりファスナーテープが挟み込み部により挟み込まれた状態を断面視して示す。
【図１３】本考案の第１実施形態に係る隠しスライドファスナーの開離嵌挿具の左側部材の蝶棒部を右側部材の箱部に嵌挿する過程を説明するための説明図であり、ファスナーテープにより遮られて視認することができないファスナースライダーの部分を破線にて示し、また、ファスナースライダーの連結柱を図示するもののファスナースライダーの柱取付部や引手の図示を省略して示す。
【図１４】本考案の第１実施形態に係る隠しスライドファスナーの開離嵌挿具の左側部材の蝶棒部が右側部材の箱部に嵌挿した状態を説明するための説明図であり、ファスナーテープにより遮られて視認することができないファスナースライダーの部分を破線にて示し、また、ファスナースライダーの連結柱を図示するもののファスナースライダーの柱取付部や引手の図示を省略して示す。
【図１５】本考案の第２実施形態に係る隠しスライドファスナーの開離嵌挿具の左側部材の蝶棒部が芯紐に固定された状態を示す概略的な断面図であり、蝶棒部の周壁部に１つの溝が形成され、該溝の両隣の部分が塑性変形されている。
【図１６】本考案の第２実施形態に係る隠しスライドファスナーの開離嵌挿具の左側部材の蝶棒部が芯紐に固定された状態を示す概略的な断面図であり、図１５の一点破線に沿う部分断面を示す。蝶棒部の周壁部の溝の両隣の変形部分が芯紐に食い込む状態が模式的に図示される。
【考案を実施するための形態】
【００２１】
以下、図面を参照しつつ、本考案の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２２】
方向を示す用語を次のように定義する。前後方向は、ファスナースライダーの摺動方向に一致し、またファスナーテープの長さ方向に一致する。ファスナースライダーの前方への摺動によりスライドファスナーが閉じられ、ファスナースライダーの後方への摺動によりスライドファスナーが開かれる。左右方向は、一組のファスナーストリンガーの左右横並びの方向に一致し、またファスナーテープの幅方向に一致する。上下方向は、ファスナースライダーの柱取付部と下翼板の上下横並びの方向に一致し、またファスナーテープの主面に直交する方向に一致する。なお、方向を示す用語は、以下の説明や添付図面に基づいて再定義可能であるものとする。
【００２３】
＜第１実施形態＞
図１乃至図１４を参照して第１実施形態について説明する。図１は、隠しスライドファスナーの表面図であり、ファスナースライダーと前止部の間を除いて一組のファスナーストリンガーの各ファスナーエレメントが噛合状態にある。なお、図１においては、ファスナーテープにより視認することができないファスナースライダーの部分を点線にて模式的に示す。図２は、隠しスライドファスナーの裏面図であり、ファスナースライダーと前止部の間を除いて一組のファスナーストリンガーの各ファスナーエレメントが噛合状態にある。図３は、隠しスライドファスナーの前止部の右側前止部の加締め変形前の斜視図であり、ファスナーテープ挿通用スリットが周壁部に設けられて長手方向に亘り開口した中空の金属製の筒部が図示され、ここで、スリットに連通した２つの溝が筒部の周方向に長く設けられ、２つの溝の間に加締め部が設けられる。図４は、隠しスライドファスナーの前止部の右側前止部がファスナーテープの曲げ側縁に取付けられた状態を示す模式図であり、ここで、ファスナーテープが断面視して示され、ファスナーテープの曲げ側縁にある芯紐が右側前止部の加締め部により加締められている。図５は、隠しスライドファスナーの前止部の右側前止部がファスナーテープの曲げ側縁に取付けられた状態を示す図１のＶ−Ｖに沿う断面図であり、ここで、ファスナーテープの曲げ側縁にある芯紐が右側前止部の加締め部により加締められている。図６は、隠しスライドファスナーの開離嵌挿具の斜視図であり、左右のファスナーテープに取付けられる前の状態であり、かつ左側部材の蝶棒部が右側部材の箱部に挿入されていない状態を示す。図７は、隠しスライドファスナーの開離嵌挿具の左側部材の側面図であり、中空の金属製の蝶棒部にプレート部が連結している状態を示す。図８は、隠しスライドファスナーの開離嵌挿具の右側部材の側面図であり、中空の金属製の箱棒部にプレート部が連結している状態を示し、ここで、箱部とプレート部の間の隙間がプレート部の挟み込み部の厚みにより視認不能に図示されている。図９は、隠しスライドファスナーの開離嵌挿具の左側部材を左側ファスナーテープの後端部に取付けた状態を示す断面模式図であり、ここで蝶棒部の加締め部及び挟み込み部が加締め変形される前の状態にある。図１０は、図９の一点破線で示す範囲の拡大図であり、但し、図９とは異なり、蝶棒部の加締め部が加締め変形された後の状態を示す。図１１は、図９の二点破線で示す範囲の拡大図であり、但し、図９とは異なり、プレート部の外側端部の挟み込み部が加締め変形された後の状態を示す。図１２は、隠しスライドファスナーの開離嵌挿具の左側部材がファスナーテープの曲げ端部に加締められた状態を示す模式図であり、ここでプレート部の挟み込み部の加締めによりファスナーテープが挟み込み部により挟み込まれた状態を断面視して示す。図１３は、隠しスライドファスナーの開離嵌挿具の左側部材の蝶棒部を右側部材の箱部に嵌挿する過程を説明するための説明図であり、ファスナーテープにより遮られて視認することができないファスナースライダーの部分を破線にて示し、また、ファスナースライダーの連結柱を図示するもののファスナースライダーの柱取付部や引手の図示を省略して示す。図１４は、隠しスライドファスナーの開離嵌挿具の左側部材の蝶棒部が右側部材の箱部に嵌挿した状態を説明するための説明図であり、ファスナーテープにより遮られて視認することができないファスナースライダーの部分を破線にて示し、また、ファスナースライダーの連結柱を図示するもののファスナースライダーの柱取付部や引手の図示を省略して示す。
【００２４】
隠しスライドファスナー５０は、左右一組のファスナーストリンガー８０、金属製若しくは樹脂製のファスナースライダー９０、金属製の開離嵌挿具１０、及び金属製の前止部３００を備える。ファスナーストリンガー８０は、複数のファスナーエレメント７０がファスナーテープ６０の曲げ側縁部６５に設けられた構成を含む。
【００２５】
隠しスライドファスナー５０は、好適には電磁波遮断用袋に用いることができる。隠しスライドファスナーを用いることにより、ファスナーエレメントや噛合状態のファスナーエレメント間の隙間がファスナーテープにより被覆され、これにより伝播する電磁波の遮断をより十分にすることが可能になる。隠しスライドファスナー５０のファスナーテープ６０の表裏面の少なくとも一方には導電性材料、例えば極細線の微小な導電性ワイヤーが一面に亘り付着しており、これによりファスナーテープ６０の表裏の間での電磁波の伝播が阻止される。本例の如く樹脂製のファスナーエレメントを採用することにより、コイルファスナーエレメントを採用する場合と比較して左右の引張にも噛合状態のエレメント間に隙間が生じ難くなり、より十分に電磁波漏洩の低減を図ることができる。
【００２６】
ファスナーテープ６０は、ファスナーテープ６０の長さ方向に沿って延びる２つの側縁部を有し、ファスナーテープ６０の内側の側縁部がＵ字状に裏側に曲げられて固定された状態にあり、これを曲げ側縁部と呼ぶ。ファスナーテープ６０の外側の側縁部は、曲げ側縁部の反対側にあり、これを反対側縁部６６と呼ぶ。なお、本明細書においては、上述の左右方向に関し、噛合状態の左右のファスナーエレメント列に近づく側を内側とし、噛合状態の左右のファスナーエレメント列から離れる方向を外側として把握しており、このような内側及び外側に関する方向は、ファスナーストリンガーの組が実在しなくても開離嵌挿具の単体からも把握可能なものである。ファスナーテープ６０の長さ方向に沿う２つの側縁部を長手側縁部と呼び、ファスナーテープ６０の幅方向に沿う２つの側縁部を短手側縁部と呼んでも良い。
【００２７】
ファスナーテープ６０の曲げ側縁部６５には芯紐６７が一体的に形成されており、これに対して樹脂製のファスナーエレメント７０が成形により固着される。ファスナーエレメント７０は、ファスナーテープ６０に射出成形により成形された樹脂部であり、芯紐６７に固着した基部、基部から突出して設けられた首部、及び首部を介して基部に連結した頭部を有する。各ファスナーエレメント７０がファスナーテープ６０の長さ方向に所定ピッチで配置され、これにより、ファスナーエレメント列が構成される。なお、芯紐６７は必須の構成ではなく、この点は、後述の前止部３００や開離嵌挿具１０の固定に関しても同様である。
【００２８】
ファスナースライダー９０は、隠しスライドファスナー用の特殊なスライダー構成を有し、ファスナーエレメント列に沿うファスナースライダー９０の摺動により、左右のファスナーストリンガー８０の各ファスナーエレメント７０を噛合又は非噛合にする。ファスナースライダー９０は、下翼板９１、左側フランジ部９２、右側フランジ部９３、連結柱９４、柱取付部９５、引手取付柱９６、更には不図示の引手を有する。なお、図示の便宜上、引手の図示を省略している。
【００２９】
左側フランジ部９２は、下翼板９１の左側縁から起立するフランジ側壁部と、フランジ側壁部の上部において柱取付部９５側へ突出したフランジ鍔部を含む。右側フランジ部９３も同様、下翼板９１の右側縁から起立するフランジ側壁部と、フランジ側壁部の上部において柱取付部９５側へ突出したフランジ鍔部を含む。左右のフランジ部９２、９３の各フランジ鍔部と下翼板９１との間にファスナーエレメント７０の基部の移動空間が画定される。柱取付部９５と左側フランジ部９２のフランジ鍔部の間で左側ファスナーテープ６１の挿通空間が確保され、柱取付部９５と右側フランジ部９３のフランジ鍔部の間で右側ファスナーテープ６２の挿通空間が確保される。ファスナースライダー９０の後側端部においては、左側フランジ部９２のフランジ鍔部と右側フランジ部９３のフランジ鍔部の間で左側ファスナーテープ６１と右側ファスナーテープ６２の挿通空間が確保される。
【００３０】
連結柱９４は、ファスナースライダーの前端部において下翼板９１の左右中央に立設される。柱取付部９５は、連結柱９４の上端部に設けられ、下翼板９１との間でファスナーエレメント７０の頭部の移動空間を画定する。柱取付部９５の表面視形状は、ファスナースライダー９０の移動方向に関し、後方から前方に向って幅が広くなる二等辺三角形状を呈し、３つの角部のうち最も鋭利な角度の角部が最後方に配される。引手取付柱９６は、側面視して弧状に延在し、ファスナースライダー９０の前側の端部が柱取付部９５に連結し、ファスナースライダー９０の後側の他方の端部が引手取付柱９６に非連結の自由端である。
【００３１】
なお、左右一組のファスナーストリンガー８０は、左側ファスナーストリンガー８１及び右側ファスナーストリンガー８２を含む。左側ファスナーストリンガー８１は、左側ファスナーテープ６１、及び左側ファスナーエレメント７１を含む。右側ファスナーストリンガー８２は、右側ファスナーテープ６２、及び右側ファスナーエレメント７２を含む。左側ファスナーテープ６１は、曲げ側縁部６５１及び反対側縁部６６１を有し、また表面６１１及び裏面６１２を有する。右側ファスナーテープ６２は、曲げ側縁部６５２及び反対側縁部６６２を有し、また表面６２１及び裏面６２２を有する。
【００３２】
前止部３００は、左側前止部３０１及び右側前止部３０２を含む。開離嵌挿具１０は、左側部材１００及び右側部材２００を含む。本実施形態においては、前止部３００や開離嵌挿具１０は、双方とも金属製であり、汎用のペンチにより塑性変形させることができる。
【００３３】
前止部３００や開離嵌挿具１０を樹脂製とし、ファスナーテープ６０の曲げ側縁部６５に対して一体的に設けることも考えられる。しかしながら、隠しスライドファスナーにおいては、ファスナーテープ６０の曲げ側縁部６５の曲げを固定した状態において前止部３００や開離嵌挿具１０をファスナーテープ６０に成形することが要求される場合があり、製造に無視できない負担がかかる。更に、少数生産の隠しスライドファスナーや隠しスライドファスナーの長さが異なる多品種の隠しスライドファスナーに対応するため、前止部３００や開離嵌挿具１０の成形のために専用の成形装置を導入することは妥当な選択ではない。
【００３４】
このような観点から上述のように前止部３００や開離嵌挿具１０を双方とも金属製とし、少数生産や多品種の隠しスライドファスナー５０に対して後付可能な構成とした。なお、後付の態様に関わらず、破損した止具や開離嵌挿具の交換品としても本実施形態に係る前止部３００や開離嵌挿具１０を用いることもできる。この場合、破損した止具や開離嵌挿具を除去したうえで新しく購入した前止部３００や開離嵌挿具１０をペンチで芯紐に加締め固定すれば良く簡便である。この場合、隠しスライドファスナーの全体の交換の手間が解消され、衣服や袋等に縫着された状態の隠しスライドファスナーの脱着の手間やコストを回避することができる。前止部３００や開離嵌挿具１０は、金属材料の加工によっても製造できるが、溶融した金属を再利用可能又は不能な金型内へ注ぎ、これを降温硬化することにより製造することが望ましい。
【００３５】
図３乃至図５に示すように、右側前止部３０２は、右側ファスナーテープ６２の挿通用のスリット３１１が周壁部３１５に設けられて長手方向に亘り開口した中空の筒部である。右側前止部３０２の周壁部３１５は、第１側壁部３１５１、及び第１側壁部３１５１との間にスリット３１１を画定する第２側壁部３１５２、第２側壁部３１５２に連結し、第１側壁部３１５１に対面配置された第３側壁部３１５３、及び第１側壁部３１５１と第３側壁部３１５３を接続し、第２側壁部３１５２に対面配置された第４側壁部３１５４を有する。なお、周壁部３１５は、必ずしも４つの側壁部から構成される必要はなく、３つ以上の側壁部から構成すれば良い。
【００３６】
右側前止部３０２の周壁部３１５には、右側前止部３０２の筒部の周方向に長く設けられた２つの溝３１３が設けられる。各溝３１３は、その一端側がスリット３１１に連通し、その他端側がスリット３１１に非連通である。溝３１３に含まれる溝３１３１と溝３１３２の双方とも、第２側壁部３１５２と第３側壁部３１５３の境界を越えて該周壁部３１５の周方向に延在する。端的には、溝３１３１と溝３１３２の双方とも、スリット３１１から第２側壁部３１５２と第３側壁部３１５３の境界を僅かに越えた位置まで該周壁部３１５の周方向に延在する。
【００３７】
右側前止部３０２の筒部の長手方向に間隔をあけて配置された２つの溝３１３の間の部分が加締め部３１４として機能する。この加締め部３１４を右側前止部３０２の筒部の半径方向内側へ変位させることにより右側前止部３０２の筒部内に配される芯紐６７が圧迫され、つまり、芯紐６７に対する右側前止部３０２の固定が確保される。右側前止部３０２についてした上述の説明は、左側前止部３０１にも同様に当てはまる。
【００３８】
図６乃至図１１に示すように、開離嵌挿具１０は、金属製の左側部材１００及び右側部材２００を含む。なお、実用新案登録請求の範囲においては、左側部材１００に対応し、これを例示の態様として包含する用語として第１部材を用い、また右側部材２００に対応し、これを例示の態様として包含する用語として第２部材を用いる。
【００３９】
左側部材１００は、左側ファスナーテープ６１の曲げ側縁部６５１、端的には芯紐６７１に取付可能、詳細には加締め保持可能に構成された蝶棒部１１０と、蝶棒部１１０に連結したプレート部１２０を含む。蝶棒部１１０は、左側ファスナーテープ６１の挿通用のスリット１１１が周壁部１１５に設けられて長手方向に亘り開口した中空の筒部である。
【００４０】
プレート部１２０は、屈曲部１２５、プレート主体部１２６、及び折返し部１２７を有する。プレート部１２０の内側端部１２１に一致する屈曲部１２５の基端部は、蝶棒部１１０、端的には後述の第１側壁部１１５１のスリット１１１を画定する端部に連結する。屈曲部１２５は、蝶棒部１１０のスリット１１１を被覆する態様にて屈曲し、屈曲部１２５と蝶棒部１１０のスリット１１１との間に間隔があけられる。より率直には、屈曲部１２５は、左側ファスナーテープ６１の曲げ側縁部６５１に即して屈曲される。
【００４１】
プレート主体部１２６の内側端部は、屈曲部１２５の先端部に連結する。プレート主体部１２６は、ファスナーテープ６０の取付状態において左側ファスナーテープ６１の表面６１１を被覆する。プレート主体部１２６には、左側ファスナーテープ６１の幅方向の左右方向に長い孔１２８が蝶棒部１１０の長手方向の前後方向に所定ピッチで設けられる。
【００４２】
折返し部１２７は、プレート主体部１２６の外側端部に連結し、ファスナーテープ６１の反対側縁部６６１に即して裏面６１２に向って折り返された部分である。折返し部１２７とプレート主体部１２６が対面することにより挟み込み部１２７０が構成される。挟み込み部１２７０は、蝶棒部１１０に並列若しくは平行に設けられ、左側ファスナーテープ６１の反対側縁部６６１を挟み込み可能である。挟み込み部１２７０は、プレート部１２０の内側端部１２１とは反対側の外側端部１２２に設けられる。
【００４３】
右側部材２００は、右側ファスナーテープ６２の曲げ側縁部６５２、端的には芯紐６７２に取付可能、詳細には加締め保持可能に構成された箱棒部２１０と、蝶棒部１１０を受け入れ保持可能であり、箱棒部２１０の内側の隣に一体に設けられた箱部２２０と、箱棒部２１０に連結したプレート部２３０を含む。箱部２２０に蝶棒部１１０が挿入されることで蝶棒部１１０が箱棒部２１０に隣り合う。箱棒部２１０は、右側ファスナーテープ６２の挿通用のスリット２１１が後述の周壁部２１５に設けられて長手方向に亘り開口した中空の筒部である。
【００４４】
プレート部２３０は、屈曲部２３５、プレート主体部２３６、及び折返し部２３７を有する。屈曲部２３５は、屈曲部２３５の先端側部分が箱棒部２１０のスリット２１１を被覆する態様にて屈曲し、屈曲部２３５の先端側部分と箱棒部２１０のスリット２１１との間に間隔があけられる。より率直には、屈曲部２３５は、右側ファスナーテープ６２の曲げ側縁部６５２に即して屈曲される。
【００４５】
プレート主体部２３６の内側端部は、屈曲部２３５の先端部に連結する。プレート主体部２３６は、ファスナーテープ６０の取付状態において右側ファスナーテープ６２の表面６２１を被覆する。プレート主体部２３６には、右側ファスナーテープ６２の幅方向の左右方向に長い孔２３８が箱棒部２１０の長手方向の前後方向に所定ピッチで設けられる。
【００４６】
折返し部２３７は、プレート主体部２３６の外側端部に連結し、ファスナーテープ６２の反対側縁部６６２に即して裏面６２２に向って折り返された部分である。折返し部２３７とプレート主体部２３６が対面することにより挟み込み部２３７０が構成される。挟み込み部２３７０は、箱棒部２１０に対して並列若しくは平行に設けられ、右側ファスナーテープ６２の反対側縁部６６２を挟み込み可能である。挟み込み部２３７０は、プレート部２３０の内側端部２３１とは反対側の外側端部２３２に設けられる。
【００４７】
右側部材２００は、箱部２２０に連結した底部２４０を備え、ここに左側部材１００のプレート部１２０の屈曲部１２５が載置可能である。更に、箱部２２０には、底部２４０に到達する切欠き２５０が設けられる。これにより、左側部材１００の停止位置を設定することができ、右側部材２００に対して左側部材１００を嵌め合わせる時の操作が簡便になる。更に、切欠き２５０を設けることにより、左側部材１００の蝶棒部１１０と屈曲部１２５の連結範囲を広く確保することができ、その機械的強度が高められる。
【００４８】
更に、底部２４０上には、箱部２２０内での蝶棒部１１０の回転を抑止するための回転抑止壁２６０が設けられる。蝶棒部１１０が回転しようとする際、蝶棒部１１０の側面が回転抑止壁２６０の側面に接触することで、箱部２２０内での蝶棒部１１０の回転が抑止され、左側部材１００と右側部材２００の相互の位置安定性が高められる。蝶棒部１１０の挿入端の視認を可能にするように箱部２２０の底部を開口させても良い。
【００４９】
蝶棒部１１０及び箱棒部２１０は、図３に図示した前止部と同様に構成される。図９に端的に示すように、蝶棒部１１０の周壁部１１５は、左側部材１００のプレート部１２０に連結した第１側壁部１１５１、及び第１側壁部１１５１との間にスリット１１１を画定する第２側壁部１１５２、第２側壁部１１５２に連結し、第１側壁部１１５１に対面配置された第３側壁部１１５３、及び第１側壁部１１５１と第３側壁部１１５３を接続し、第２側壁部１１５２に対面配置された第４側壁部１１５４を含む。箱棒部２１０も蝶棒部１１０と同様に構成され、但し、上述の説明に関し、左側部材１００を右側部材２００で読み替え、スリット１１１をスリット２１１に読み替え、周壁部１１５を周壁部２１５で読み替え、側壁部の符号を２１５１〜２１５４に読み替える。なお、側壁部の数は、３以上であれば任意である。
【００５０】
蝶棒部１１０は、スリット１１１に連通した２つの溝１１３を有する。溝１１３１と溝１１３２の双方とも、蝶棒部１１０の筒部の周方向に延在して第２側壁部１１５２と第３側壁部１１５３の境界を越える。蝶棒部１１０の筒部の長手方向に間隔をあけて配置された２つの溝１１３の間に加締め部１１４が構成される。この加締め部１１４を蝶棒部１１０の筒部の半径方向内側へ変位させることにより蝶棒部１１０の筒部内に配される芯紐６７が圧迫され、つまり、芯紐６７に対する蝶棒部１１０の固定が確保される。なお、蝶棒部１１０についてした本説明は、箱棒部２１０に関しても同様に当てはまる。
【００５１】
図７から明らかなように、左側部材１００のプレート部１２０の挟み込み部１２７０の長さＬ１２７０は、蝶棒部１１０の２つの溝１１３の間隔Ｌ１１４、更には蝶棒部１１０の長さＬ１１０よりも長い。蝶棒部１１０での加締め変形の量を低減した場合においても、ファスナーテープ６０の反対側縁部６６側での挟み込みにより取付力を補うことができ、全体として十分な取付力を確保できる。
【００５２】
図８から明らかように、右側部材２００のプレート部２３０の挟み込み部２３７０の長さＬ２３７０は、箱棒部２１０の２つの溝２１３の間隔Ｌ２１４、更には箱棒部２１０の長さＬ２１０よりも長い。このような条件を満足することにより、ファスナーテープ６０への左側部材１００又は右側部材２００のより十分な取付が確保される。図７及び図８の対比から分かるように、蝶棒部１１０の２つの溝１１３の間隔Ｌ１１４は、箱棒部２１０の二つの溝２１３の間隔Ｌ２１４よりも大きく形成されているため、ファスナーテープ６０に対する蝶棒部１１０の取付強度は箱棒部２１０のものに比べて強い。なお、間隔Ｌ１１４と間隔Ｌ２１４は同じ寸法でも良く、間隔Ｌ２１４を間隔Ｌ１１４よりも大きく形成しても良い。
【００５３】
図９を参照して左側ファスナーテープ６１が左側部材１００に挿通された状態について説明する。なお、右側部材２００に関しても左側部材１００と同様に理解することができるため冗長な説明や図示を省略する。
【００５４】
図９に示す状態において、蝶棒部１１０の加締め部１１４が、蝶棒部１１０の筒部の半径方向内側へ屈曲されていなく、従って、左側ファスナーテープ６１の芯紐６７１を蝶棒部１１０の筒部内に簡単に挿入することができ、またその状態において図９に垂直な方向の前後方向に自由に変位することができる。図９に示すとき、挟み込み部１２７０が塑性変形されておらず、一組の対向部分同士の間に左側ファスナーテープ６１の反対側縁部６６１を簡単に挿入することができる。
【００５５】
図１０に示すように、蝶棒部１１０内に芯紐６７１を挿入した状態で蝶棒部１１０の筒部の加締め部１１４を同筒部の半径方向内側へ屈曲することにより芯紐６７１が筒部内で強固に挟み込み固定される。図１１に示すように、挟み込み部１２７０の対向部分の間に左側ファスナーテープ６１の反対側縁部６６１を挿入した状態で挟み込み部１２７０の対向部分の間隔を狭める、端的には折返し部１２７をプレート主体部１２６に近接させることにより、左側ファスナーテープ６１の反対側縁部６６１が折返し部１２７により強固に挟み込み固定される。
【００５６】
本実施形態においては、蝶棒部１１０や箱棒部２１０によるファスナーテープ６０の曲げ側縁部６５、本例においては芯紐６７の挟み込みに加えて、プレート部１２０、２３０の外側端部１２２、２３２の挟み込み部１２７０、２３７０によりファスナーテープ６０の反対側縁部６６を挟み込み保持する。かかる態様によれば、ファスナーテープ６０の幅方向に亘ってプレート部１２０、２３０が幅広に大きく構成されるため、結果として左側部材１００や右側部材２００をファスナーテープ６０に対して取り付ける取付作業が簡単になると共に、取付後の安定性も良好に確保することができる。更に、本構成によれば、左側部材１００と右側部材２００がファスナーテープ６０の上面を覆うように取付けられるため、指先などで把持しやすく、開離嵌挿具１０の開閉操作も簡便になる。
【００５７】
各ファスナーストリンガー８０が任意の方向に引かれる場合においても、挟み込み部１２７０と蝶棒部１１０、及び挟み込み部２３７０と箱棒部２１０の協働したファスナーテープ６０の保持により、ファスナーテープ６０に対する左側部材１００及び右側部材２００の変位が抑制され、ファスナーテープ６０上での左側部材１００及び右側部材２００の位置安定性が高められる。
【００５８】
左側部材１００及び右側部材２００の夫々に関し、それらの内側及び外側の各部分にてファスナーテープ６０への取付が確保され、蝶棒部１１０や箱棒部２１０に依存した取付を低減することもできる。この場合、加締め固定のための蝶棒部１１０や箱棒部２１０の変形量若しくは変形の程度を低減することもでき、箱部２２０内若しくはファスナースライダー９０内における蝶棒部１１０や箱棒部２１０の遊びが減じられる。
【００５９】
図７及び図８に端的に示したように、蝶棒部１１０や箱棒部２１０の各塑性変形範囲をスリットに連通した少なくとも一つ溝により制限することが好ましい。本例においては２つの溝により加締め部１１４、２１４を画定し、同部分を選択的に塑性変形させる。これにより、加締め部１１４、２１４が塑性変形する際、箱棒部２１０、ファスナースライダー９０に接触する前端側と後端側は塑性変形せず、箱部２２０内若しくはファスナースライダー９０内における蝶棒部１１０や箱棒部２１０の遊びを減じることができる。
【００６０】
挟み込み部１２７０、２３７０の長さが、２つの溝の間隔よりも長く、若しくは蝶棒部１１０の長さ又は箱棒部２１０の長さよりも長いことが好ましい。これにより、挟み込み部１２７０、２３７０によりファスナーテープ６０への取付力を補うことができ、蝶棒部１１０や箱棒部２１０の変形範囲／長さを狭くすることができる。
【００６１】
左側部材１００のプレート部１２０のプレート主体部１２６と右側部材２００のプレート部２３０のプレート主体部２３６を左右対称に構成しても良く、この場合、見た目の統一感を演出できる。本例の如く各プレート主体部１２６、２３６に複数の孔を設けることにより左側部材１００や右側部材２００の意匠性を高め、かつそれらの軽量化を図ることもできる。各プレート主体部１２６、２３６に設ける孔を左右対称とすることにより見た目の統一感を更に促進することができる。なお、孔の具体的な形状は任意であり、図示の長細い楕円に限らず、円形、三角形、矩形、星形及び任意の他の形状であっても構わない。
【００６２】
図１２に示すように挟み込み部１２７０の対向部分、つまりプレート主体部１２６と折返し部１２７には、各々、同軸上に孔１２８、１２９が設けられており、これにより、挟み込み部１２７０がファスナーテープ６０を挟み込んだ状態でファスナーテープ６０に対して挟み込み部１２７０を縫製により固定することができる。この点は、図６の図示からも理解できるように、右側部材２００についても同様である。
【００６３】
最後に図１３及び図１４を参照してファスナーテープ６０に対して取り付けられた状態の右側部材２００の箱部２２０に同じくファスナーテープ６０に対して取り付けられた状態の左側部材１００の蝶棒部１１０を挿入する過程について説明する。
【００６４】
図１３に示すように、ファスナースライダー９０が右側ファスナーストリンガー８２の右側ファスナーエレメント７２に挿通され同ファスナーエレメント列の後端に取り付けられた右側部材２００の前側に配された状態において、ファスナースライダー９０のＹ字状のエレメント通路の前側の２つの出入口の左側の出入口へ蝶棒部１１０を挿し込む。これにより、図１４に示すように、右側部材２００の箱部２２０内に左側部材１００の蝶棒部１１０の先端部が保持される。この状態においてファスナースライダー９０を前側へ摺動することにより隠しスライドファスナー５０を閉じることができる。
【００６５】
＜第２実施形態＞
図１５及び図１６を参照して第２実施形態について説明する。図１５は、隠しスライドファスナーの開離嵌挿具の左側部材の蝶棒部が芯紐に固定された状態を示す概略的な断面図であり、蝶棒部の周壁部に１つの溝が形成され、該溝の両隣の部分が塑性変形されている。図１６は、隠しスライドファスナーの開離嵌挿具の左側部材の蝶棒部が芯紐に固定された状態を示す概略的な断面図であり、図１５の一点破線に沿う部分断面を示す。蝶棒部の周壁部の溝の両隣の変形部分が芯紐に食い込む状態が模式的に図示される。
【００６６】
図１５及び図１６の図示から理解できるように蝶棒部に設けられる溝の個数は１つであっても構わない。蝶棒部１１０の周壁部１１５の溝１１３に隣接する部分を蝶棒部１１０の筒部の径方向内側へ塑性変形する。これにより、周壁部１１５の該変形部分が芯紐６７１に食い込み、芯紐６７１に対する蝶棒部１１０の固定が確保される。好適には、１つの溝１１３は、蝶棒部１１０の長手方向の中央近傍に設けられるが、必ずしもこの位置に限られない。芯紐６７１に食い込む部分にギザギザ等の１以上の角部を持たせ、これにより、より十分な食い込み力を確保しても良い。なお、箱棒部２１０についても同様、図１５及び図１６に倣って１つの溝を設けるのみとしても良い。
【００６７】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００６８】
５０            隠しスライドファスナー
９０            ファスナースライダー
８０            ファスナーストリンガー
６０            ファスナーテープ
７０            ファスナーエレメント
１０            開離嵌挿具
１００            左側部材(第１部材)
１１０            蝶棒部
１１１            スリット
１１３            溝
１１５            周壁部
１２０            プレート部
１２１            内側端部
１２２            外側端部
１２５            屈曲部
１２７０          挟み込み部
２００            右側部材(第２部材)
２１０            箱棒部
２１１            スリット
２１３            溝
２１５            周壁部
２２０            箱部
２３０            プレート部
２３１            内側端部
２３２            外側端部
２３５            屈曲部
２４０            底部
２５０            切欠き
２３７０          挟み込み部
【図１】
0003188025.tif 000003
【図２】
0003188025.tif 000004
【図３】
0003188025.tif 000005
【図４】
0003188025.tif 000006
【図５】
0003188025.tif 000007
【図６】
0003188025.tif 000008
【図７】
0003188025.tif 000009
【図８】
0003188025.tif 000010
【図９】
0003188025.tif 000011
【図１０】
0003188025.tif 000012
【図１１】
0003188025.tif 000013
【図１２】
0003188025.tif 000014
【図１３】
0003188025.tif 000015
【図１４】
0003188025.tif 000016
【図１５】
0003188025.tif 000017
【図１６】
0003188025.tif 000018